(57)【要約】   【課題】  足を載せて足裏のマッサージに加え、手で持って肩、首、背中など手で持って自在にマッサージでき、また、手から離して紐などで引くことにより、表裏なくマッサージが可能であるマッサージ具を提供する。  【解決手段】  マッサージ用の硬質ボール１２０は中心に軸孔が開けられおり少なくとも一つ設けられている。ホルダー１１０は硬質ボール１２０の個数分、硬質ボール１２０の直径よりも大きい硬質ボール装着孔１１１を備え、その厚さが硬質ボール１２０の直径Ｄよりも小さいものとなっている。ホルダー１１０の硬質ボール装着孔１１１に硬質ボール１２０を収め、硬質ボール１２０の表面をホルダー１１０の表裏両面から突出した状態にて硬質ボール１２０の軸孔を貫通するように軸棒１３０を通し入れ、軸棒１３０を介して硬質ボール１２０をホルダー１１０に対して回転自在に取り付けた。【選択図】  図１
0003140592.tif 000002
【実用新案登録請求の範囲】
【請求項１】
中心に軸孔が開けられた少なくとも一つのマッサージ用の硬質ボールと、
前記硬質ボールの個数分、前記硬質ボールの直径よりも大きい硬質ボール装着孔を備え、厚さが前記硬質ボールの直径よりも小さいホルダーと、
前記ホルダーの前記硬質ボール装着孔に前記硬質ボールを納め、前記硬質ボールの表面を前記ホルダーの表裏両面から突出した状態で、前記硬質ボールの前記軸孔を貫通するように軸棒を通し入れ、前記軸棒を介して前記硬質ボールを前記ホルダーに対して回転自在に取り付けたマッサージ具。
【請求項２】
前記硬質ボールの軸孔に内周壁の滑らかな筒体を設け、前記筒体を貫通するように前記軸棒を通し入れ、前記硬質ボールが前記ホルダーに対して回転しやすくしたことを特徴とする請求項１に記載のマッサージ具。
【請求項３】
前記ホルダーのエッジにテーパーを設け、前記ホルダーを掴んで前記硬質ボールを利用者の体に押し付けて回転させてマッサージを行う際、前記ホルダーのエッジが前記利用者の体に当たらないようにした請求項１または２に記載のマッサージ具。
【請求項４】
前記ホルダーの両側面に紐体取付部を設け、前記紐体取付部に紐体をそれぞれ取り付け、前記紐体を交互に引っ張ることにより移動させる請求項１から３のいずれか１項に記載のマッサージ具。
【請求項５】
前記ホルダーの裏面側に支持台座を設け、前記支持台座により床面に立てた場合、裏面側において突出している前記硬質ボールが前記床面に触れずに宙に浮いている状態である請求項１から４のいずれか１項に記載のマッサージ具。
【考案の詳細な説明】
【技術分野】
【０００１】
本考案は、手に持って利用者自身が体表面上から物理的な刺激を与えるための手動式マッサージ具に関するものである。
【背景技術】
【０００２】
近年、高価な電動マッサージ機が数多く開発されているが、簡易に自らの手で擦ることによりマッサージを行う手動式のマッサージ具も根強い人気を保っている。
手動式のマッサージ具はおおむね、揉み玉と持ち手を有し、持ち手を持って手でマッサージ具全体を振り、揉み玉により患部を叩いてマッサージを行う。
【０００３】
従来の手動式マッサージ具の問題点の一つとして、揉み玉により肌を叩くため刺激を強くするために力を加え過ぎると、肌が傷ついたり筋肉を傷めたりするという問題がある。
【０００４】
それら問題点を解決した従来技術の手動式マッサージ具として、揉み玉として球体を用いてマッサージを行う手動式マッサージ具はいくつか知られている。
【０００５】
例えば、特開２００１−９５８９２号公報が知られている。同公報のマッサージ具は足踏み型のものであり、足型の基台にゴルフボールを配したものとなっている。利用者が足型に合わせて足を置いて踏みつけることにより足裏にゴルフボールがあたってマッサージ効果が得られるものである。
【０００６】
例えば、特開２００１−１６１７７２号公報は、ホルダーにボール装着穴を設け、このボール装着穴にゴルフボールなどの硬質ボールを回転自在に装着した手動式マッサージ具が開示されている。硬質ボールを納める部分がボール装着穴であり貫通孔とはなっておらず図面にも硬質ボールは台座の上に載せ置かれるようになっている。
【０００７】
【特許文献１】特開２００１−９５８９２号公報  特開２００１−１６１７７２号公報
【考案の開示】
【考案が解決しようとする課題】
【０００８】
ゴルフボールなどの硬質球体を用いて利用者の患部を刺激するマッサージ方法は有効なものである。球体は形状として肌に優しく、また、回転することにより肌を摩擦などで傷つけることなく安全である。
【０００９】
しかし、上記特開２００１−９５８９２号公報の技術では、足裏しかマッサージできず、肩、首、背中など自在なマッサージを行うことができない。
【００１０】
また、上記特開２００１−１６１７７２号公報の技術では、手が届き、かつ、手でしっかりと患部を押圧できる範囲しかマッサージできない。例えば、肩、首程度であり、背中はマッサージすることができない。また、特開２００１−１６１７７２号公報の技術は、上記のように硬質ボールを納める部分がボール装着穴であり貫通孔とはなっておらず表裏があり、かならず硬質ボールが突出している側でマッサージしなければならない。
【００１１】
このような事情から、本考案は、足を載せて足裏のマッサージに加え、手で持って肩、首、背中など手で持って自在にマッサージでき、また、手から離して紐などで引くことにより、表裏なくマッサージが可能であるマッサージ具を提供することを目的とする。
【課題を解決するための手段】
【００１２】
上記目的を達成するため、本考案の請求項１にかかるマッサージ具は、
中心に軸孔が開けられた少なくとも一つのマッサージ用の硬質ボールと、
前記硬質ボールの個数分、前記硬質ボールの直径よりも大きい硬質ボール装着孔を備え、厚さが前記硬質ボールの直径よりも小さいホルダーと、
前記ホルダーの前記硬質ボール装着孔に前記硬質ボールを納め、前記硬質ボールの表面を前記ホルダーの表裏両面から突出した状態で、前記硬質ボールの前記軸孔を貫通するように軸棒を通し入れ、前記軸棒を介して前記硬質ボールを前記ホルダーに対して回転自在に取り付けたマッサージ具である。
上記構成により、表裏ともにゴルフボールなどの硬質ボールが突出し、当該硬質ボールを用いて利用者の患部を刺激することができる。
【００１３】
ここで、本考案の請求項２の構成のように、前記硬質ボールの軸孔に内周壁の滑らかな筒体を設け、前記筒体を貫通するように前記軸棒を通し入れ、前記硬質ボールが前記ホルダーに対して回転しやすくすることが好ましい。
硬質ボールとしてゴルフボールを用いた場合、ゴム製であるので軸孔を穿った場合、軸孔内壁は摩擦係数の高いものであり、軸棒の周りをスムーズに回ることができないが、軸孔に内周壁の柔らかな筒体（摩擦係数の小さいもの）を設けたので、筒体が軸棒の周りをスムーズに回転できる。
【００１４】
また、本考案の請求項３にかかるマッサージ具は、前記ホルダーのエッジにテーパーを設け、前記ホルダーを掴んで前記硬質ボールを利用者の体に押し付けて回転させてマッサージを行う際、前記ホルダーのエッジが前記利用者の体に当たらないようにしたものである。
【００１５】
次に、本考案の請求項４にかかるマッサージ具は、上記構成において、前記ホルダーの両側面に紐体取付部を設け、前記紐体取付部に紐体をそれぞれ取り付け、前記紐体を交互に引っ張ることにより移動させるようにしたものである。
上記構成により、２本の紐体をそれぞれ手で持ち交互に引くことによりマッサージ具を手の届かない背中各所を適度にマッサージすることができる。本考案のマッサージ具は表裏両面とも硬質ボールが突出しておりマッサージすることができるため、紐体で交互に引くことにより背中各所をマッサージするには適している。
【００１６】
次に、本考案の請求項５にかかるマッサージ具は、上記構成において、前記ホルダーの裏面側に支持台座を設け、前記支持台座により床面に立てた場合、裏面側において突出している前記硬質ボールが前記床面に触れずに宙に浮いている状態となるようにしたものである。
上記構成により、床下に置いて安定的に立ち、足で踏めば足裏のマッサージを行うことができ、背中の下に敷いて寝れば背中をマッサージすることができる。
【考案の効果】
【００１７】
本考案のマッサージ具によれば、表裏ともにゴルフボールなどの硬質ボールが突出しているので、当該硬質ボールを用いて利用者の患部を刺激することができる。
また、本考案のマッサージ具によれば、硬質ボールの軸孔に内周壁の滑らかな筒体を設け、筒体を貫通するように軸棒を通し入れているので、硬質ボールがホルダーに対して回転しやすくなっている。
また、本考案のマッサージ具によれば、２本の紐体をそれぞれ手で持ち交互に引くことによりマッサージ具を手の届かない背中各所を適度にマッサージすることができる。
【考案を実施するための最良の形態】
【００１８】
以下、図面を参照しつつ、本考案のマッサージ具の実施例を説明する。ただし、本考案の範囲は以下の実施例に示した具体的な用途、形状、個数などには限定されないことは言うまでもない。
【実施例１】
【００１９】
実施例１にかかる本考案のマッサージ具の例を示す。
図１は実施例１にかかる本考案のマッサージ具１００の構成例を模式的に示す図である。図１には平面図、底面図、正面図、右側面図を示している。なお、背面図は正面図と対照に表れるので図示を省略しており、また、左側面図は右側面図と対照に表れるので図示を省略している。
【００２０】
図１に示すように、本実施例１の本考案のマッサージ具１００は、ホルダー１１０、マッサージ用の硬質ボール１２０、軸棒１３０を備えている。
【００２１】
ホルダー１１０には、硬質ボール１２０の個数分の硬質ボール１２０の直径よりも大きい硬質ボール装着孔１１１が設けられている。この構成例では硬質ボール１２０が３個設けられており、対応して硬質ボール装着孔１１１は３個設けられている。この硬質ボール装着孔１１１に硬質ボール１２０が収められている。
なお、ホルダー１１０の厚さであるが、ホルダー１１０の厚さＨは硬質ボール１２０の直径Ｄよりも小さいものとなっている。つまり、Ｄ＞Ｈである。
【００２２】
ホルダー１１０のエッジにはテーパー１１２が設けられている。このようなテーパー１１２を設けておく理由は、利用者がホルダー１１０を掴んで硬質ボール１２０を利用者の体に押し付けて回転させてマッサージを行う際、ホルダーのエッジ角が利用者の体に当たらないようにするためである。つまり、テーパー１１２がない場合、ホルダー１１０が少し傾いた状態で利用者の体と接するとエッジ角が肌にあたるが、テーパー１１２がある場合、ホルダー１１０が少し傾いた状態で利用者の体と接してもテーパー１１２がマージンとなり利用者の肌とホルダー１１０が接することはない。利用者はマッサージの過程において硬質ボールをぐりぐりと当接しつつホルダー１１０をいろいろと傾けながら肌に擦り付けるのでテーパー１１２がないと肌に当たってマッサージ動作が阻害される。
【００２３】
次に、マッサージ用の硬質ボール１２０は、マッサージの揉み玉となるものであり、ある程度の硬さが必要である。例えば、ゴルフボールを用いることができる。この硬質ボール１２０の中心に軸孔が開けられている。この軸孔に後述する軸棒１３０が通し入れられて軸棒１３０を介してホルダー１１０に対して取り付けられる。
【００２４】
ホルダー１１０と硬質ボール１２０は以下のように取り付けられている。
まず、ホルダー１１０の硬質ボール装着孔１１１に硬質ボール１２０を収める。この状態でホルダー１１０の厚さＨは硬質ボール１２０の直径Ｄよりも小さいものとなっているので硬質ボール１２０の表面はホルダー１１０の表裏の両面から突出した状態となる。ここで、突出する高さＴは、表、裏それぞれＴ＝（Ｄ−Ｈ）／２となる。
【００２５】
次に、硬質ボール１２０の軸孔を貫通するように軸棒１３０を通し入れ、軸棒１３０を介して硬質ボール１２０をホルダー１１０に対して回転自在に取り付ける。
ここで、硬質ボール１２０が軸棒１３０の周りを滑らかに回転することが好ましいが、硬質ボール１２０がゴルフボールなどであると内部はゴムであり、切削により開けた軸孔の摩擦係数が高くなっている場合も有り得る。そこで、軸孔の摩擦係数を小さくする工夫として、硬質ボール１２０の軸孔に内周壁の滑らかで摩擦係数が小さい筒体を設け、筒体を貫通するように軸棒１３０を通し入れることにより、硬質ボール１２０がホルダー１１０に対して回転しやすくしておく。つまり、硬質ボール１２０は筒体の内壁を介して軸棒１３０の周囲を回転することとなり、摩擦係数が小さくなる。
【００２６】
以上、本実施例１にかかるマッサージ具によれば、表裏ともにゴルフボールなどの硬質ボールが突出しているので、当該硬質ボールを用いて利用者の患部を刺激することができる。また、本考案のマッサージ具によれば、硬質ボールの軸孔に内周壁の滑らかな筒体を設け、筒体を貫通するように軸棒を通し入れているので、硬質ボールがホルダーに対して回転しやすくなっている。
【実施例２】
【００２７】
実施例２にかかる本考案のマッサージ具の例を示す。
図２は実施例２にかかる本考案のマッサージ具１００ａの構成例を模式的に示す図である。図２には平面図、底面図、正面図、右側面図を示している。なお、背面図は正面図と対照に表れるので図示を省略しており、また、左側面図は右側面図と対照に表れるので図示を省略している。
【００２８】
図２に示すように、本実施例２の本考案のマッサージ具１００ａは、実施例１のマッサージ具１００において説明したホルダー１１０、マッサージ用の硬質ボール１２０、軸棒１３０に加え、紐体取付部１１３と紐体１４０を備えている。
【００２９】
紐体取付部１１３は、ホルダー１１０の両側面に設けられている。例えば金属の輪状のものがホルダー１１０の側面に突出するように設けられている。
【００３０】
紐体１４０はホルダー１１０を支えることができる強度を持つものである。
紐体取付部１１３に紐体１４０をそれぞれ取り付け、紐体１４０を交互に引っ張ることにより移動させる。
【００３１】
例えば、利用者が背中をマッサージしたいとき、利用者は紐体１４０をそれぞれ持ってマッサージ具１００ａを背中側に回し、マッサージ具１００ａを背中に当てつつ紐体１４０を手で交互に引くことにより紐体１４０の張力によりマッサージ具１００ａが背中を押圧する。いわば一人で背中に回したタオルの両端を握りタオルで背中を擦る要領で本考案のマッサージ具１００ａにより背中をマッサージする。
【００３２】
なお、本考案のマッサージ具１００ａは表面、裏面のいずれの面も硬質ボール１２０が突出しているので表裏を気にすることなくマッサージに使用することができる。
【００３３】
以上、本実施例２にかかるマッサージ具によれば、２本の紐体をそれぞれ手で持ち交互に引くことによりマッサージ具を手の届かない背中各所を適度にマッサージすることができる。
【実施例３】
【００３４】
実施例３にかかる本考案のマッサージ具の例を示す。
図３は実施例３にかかる本考案のマッサージ具１００ｂの構成例を模式的に示す図である。図３には平面図、底面図、正面図、右側面図を示している。なお、背面図は正面図と対照に表れるので図示を省略しており、また、左側面図は右側面図と対照に表れるので図示を省略している。
【００３５】
図３に示すように、本実施例３の本考案のマッサージ具１００ｂは、実施例１において説明したホルダー１１０、マッサージ用の硬質ボール１２０、軸棒１３０、実施例２において説明した紐体取付部１１３と紐体１４０に加え、支持台座１５０を備えている。
【００３６】
支持台座１５０はホルダー１１０の裏面側に設けられている。
支持台座１５０は、マッサージ具１００ｂを床面など平面に置くと安定してホルダー１１０を支えるとともに、裏面に突出している硬質ボール１２０が床面に着かないで宙に浮いた状態を維持するものである。
【００３７】
図３の構成例では、支持台座１５０はホルダー１１０の裏面に４箇所設けられており、それぞれの支持台座１５０の底部は平面となっており、ホルダー１１０を水平に床面に支持できるものとなっている。支持台座１５０の高さＳは、裏面において硬質ボール１２０が突出している高さＴ＝（Ｄ−Ｈ）／２よりも大きいものとなっている。つまり、Ｓ＞（Ｄ−Ｈ）／２となっている。
そのため、実施例３のマッサージ具１００ｂを床面に立てた場合、裏面側において突出している硬質ボール１２０が床面に触れずに宙に浮いている状態となる。
【００３８】
以上、実施例３にかかるマッサージ具によれば、床面においても安定して利用でき、足裏のマッサージなどが行いやすいものである。
【００３９】
以上、本考案の好ましい実施形態を図示して説明してきたが、本考案の技術的範囲を逸脱することなく種々の変更が可能であることは理解されるであろう。従って本考案の技術的範囲は添付された特許請求の範囲の記載によってのみ限定されるものである。
【図面の簡単な説明】
【００４０】
【図１】実施例１にかかる本考案のマッサージ具１００の構成例を模式的に示す図
【図２】実施例２にかかる本考案のマッサージ具１００ａの構成例を模式的に示す図
【図３】実施例３にかかる本考案のマッサージ具１００ｂの構成例を模式的に示す図
【符号の説明】
【００４１】
１００，１００ａ，１００ｂ  マッサージ具
１１０  ホルダー
１１１  硬質ボール装着孔
１１２  テーパー
１１３  紐体取付部
１２０  マッサージ用の硬質ボール
１３０  軸棒
１４０  紐体
１５０  支持台座
【図１】
0003140592.tif 000003
【図２】
0003140592.tif 000004
【図３】
0003140592.tif 000005